(57)【要約】      （修正有）【課題】機械的寿命及び遮蔽性能を高め、排気昇圧時に発生し得る騒音を効果的に防止するダクト用ダンパを提供する。【解決手段】ダクトの内部に通気可能に設けられる中空状のハウジング１１０と、ハウジングに設けられて中空を開閉させる軟質素材の遮断板１３０と、ハウジングに遮断板を固定させるファスナーと、及びファスナーにより固定されていない遮断板の軟質部分の形状を保持させる形状保持部材１７０と、を含み、形状保持部材は、遮断板の中心線部分に剛性を与えるために、遮断板の中心線から水平方向に所定間隔離隔された両側に相互対称的に、遮断板の中心線方向に沿って直線状に長く設けられて遮断板が折り曲げられる基準軸を提供するバー状のセンターバーと、及びセンターバーから延びて一体に遮断板の枠まで設けられて遮断板の形状変形を抑制するサポートバーと、を含んで構成される。【選択図】図１
0003224670.tif 000002
【実用新案登録請求の範囲】
【請求項１】
ダクトの内部に通気可能に設けられる中空状のハウジングと、  
前記ハウジングに設けられて中空を開閉させる軟質素材の遮断板と、
前記ハウジングに前記遮断板を固定させるファスナーと、
前記ファスナーにより固定されていない前記遮断板の軟質部分の形状を保持させる形状保持部材と、を含み、
前記形状保持部材は、前記遮断板の中心線部分に剛性を与えるために、前記遮断板の中心線から水平方向に所定間隔離隔された両側に相互対称的に、前記遮断板の中心線方向に沿って直線状に長く設けられて前記遮断板が折り曲げられる基準軸を提供するバー状のセンターバーと、
前記センターバーから延びて一体に前記遮断板の枠まで設けられて前記遮断板の形状変形を抑制するサポートバーと、を含んで構成されることを特徴とする、ダクト用ダンパ。
【請求項２】
前記ハウジングは、内部を横切って半分に分割する状態で設けられ、前記遮断板が安着されるように所定の幅を成すバー状の安着フレームと、
前記安着フレームに安着された前記遮断板の枠が安着されるように内側の枠に沿って突出形成される段爪状の安着シートと、を含む請求項１に記載のダクト用ダンパ。
【請求項３】
前記ファスナーは、前記安着部の長手方向に沿って突出形成される複数の結合突起と、
前記結合突起に対応するように前記遮断板に貫通形成され、前記結合突起が貫通状態で結合される孔状の結合孔と、を含む請求項１に記載のダクト用ダンパ。
【請求項４】
前記サポートバーは、前記センターバーから前記遮断板の末端まで延び、
前記センターバーから放射状に複数個設けられて前記遮断板の表面を部分的に支持するリブと、で構成される請求項１に記載のダクト用ダンパ。
【請求項５】
前記サポートバーは、前記センターバーから前記遮断板の枠に沿って延び、前記遮断板の枠に対応する形態で設けられて前記遮断板の枠を全体的に支持するリブと、で構成される請求項１に記載のダクト用ダンパ。
【請求項６】
前記形状保持部材が設けられた前記遮断板の他側面に設けられて前記遮断板に重量を提供するウェイトと、をさらに含む請求項５に記載のダクト用ダンパ。
【請求項７】
前記遮断板は、前記ウェイトが前記形状保持部材に対応する形状を成し、前記遮断板の枠の内側に所定間隔離隔された形態で設けられるにつれて前記遮断板の枠の下端に形成される段爪状の段差と、をさらに含む請求項６に記載のダクト用ダンパ。
【請求項８】
前記安着フレームにより分割された前記ハウジングの両側内部にそれぞれ形成され、前記遮断板の下部を支持して前記遮断板の逆行を防止する網目状の補助フレームと、をさらに含む請求項２に記載のダクト用ダンパ。
【考案の詳細な説明】
【技術分野】
【０００１】
本考案は、ダクトのダンパに関し、より詳しくは、ダクトに備えられるダンパを軟質膜素材で構成して機械的寿命及び遮蔽性能を高める一方、排気昇圧時に発生し得る騒音を効果的に防止するダクト用ダンパに関する。
【背景技術】
【０００２】
換気は、室内の空気と外気を交換する意味で使用される。換気の目的は、汚れた空気の更新（ｒｅｎｅｗａｌ）と熱や湿気などを除去することである。ここで、汚れた空気というのは、その場所の使用目的上、不愉快な臭い・煙・ほこり・細菌・湿気・ガスなどが一定の限度以上含まれた空気を言う。人がいる室内の空気状態の良し悪しの判断には、その空気中の炭酸ガス（二酸化炭素）の濃度を指標として使用する。
【０００３】
このように、換気のための換気システムが提供されるが、窓や通気孔（ダクト）などを利用する自然換気と送風機や換気扇などを使用する機械換気（強制換気）とに分けられる。このとき、換気システムは、外から逆に流入される空気を遮断するためにダクトの内部にダンパを設けて使用している。
【０００４】
一般的に、ダンパは、ボイラーなどの煙道や空調装置の空気通路、つまり、ダクトの内部に設けて煙の排出量、空気の量を調節する装置で、主に内部の空気を外に排出させるか、または外から逆に流入される空気を遮断するためのバックドラフト防止用ダンパが使用されている。
【０００５】
このような従来のダンパは、特許文献１に開示されたように、回転軸が設けられる円筒体、回転軸に挿入される両側に分割された半月型開閉板、一定の幅を有する固定台、ネジ軸により固定される折曲板状の昇降口で構成される。前述した従来の構成によって、開閉板は、ネジ軸の回転により昇降口が上昇又は下降するにつれて、同時にスムーズに開閉され、開閉板の中央側にも空気の一部が移動して摩擦抵抗部が大きく減少することにより震えに因る騒音が発生されないことを特徴としている。
【０００６】
しかし、従来のダンパは、前述した構成、すなわち、回転軸、円筒体、両側に分割された開閉板、固定台、ネジ軸及び昇降口などから成るもので、その構成が非常に複雑で、作製及び設置が容易ではなく、作動もまた非常に容易でない問題点があった。
【０００７】
また、従来のダンパは、開閉板が上昇しながら円筒体を開放する場合、開閉板は折曲板状の昇降口に当たって接触が発生する。これにより、従来のダンパは、開閉板が開放されながら昇降口に当たって接触が発生する度に接触に因る騒音が発生する問題点があった。さらに、従来のダンパは、閉状態になると、円筒体に示された凸状突起部分に当たって接触されながら騒音が発生することもある。
【０００８】
したがって、従来のダンパは、前述した問題点を解決するために、円筒体を開閉する開閉板の材質を軟質材で構成して、昇降口や突起部分などに当たっても騒音が発生しないように改善した。また、開閉板は両側に分割された状態で回転軸にそれぞれ挿入されて円筒体を開閉する複雑な構造から脱皮し、軟質材で一体化された円板状の構造で形成されて、前述した回転軸のような別途のヒンジ構造がなくても円板状の両側が折り曲げられながら円筒体を開閉するように改善した。
【０００９】
このように、従来の軟質膜ダンパは、特許文献２に開示されたように、据置台及び補強台が形成される胴体、胴体の外側に挿入される固定胴体、重量部及び安着補強部が形成されるダンパ板及びダンパ板を胴体に結合させる固定台で構成される。前述した従来の構成により、ダンパ板は低圧状態又は管路の内部風速が高速状態であっても震えが発生しないことを特徴としている。
【００１０】
しかし、前述した先行文献上のダンパもまた低圧状態又は風速が高速状態でダンパ板の両側が折り曲げられる場合、ダンパ板を構成する重量部と安着補強部との間の一部分が折り曲げられながら震えが発生する問題点に対する根本的な解決策を提示していない。詳しくは、従来のダンパ板は、重量部と安着補強部に因り、これらが及ぶ周辺部分を支持して形態を保持するが、このとき、重量部と安着補強部は互いに延長形成されず、分離された個々の構成で互いに離隔するように形成されて、重量部と安着補強部が及ばない一部分が自ら形態を保持できず、容易に折り曲げ又は折れる軟質の薄い膜（シリコン、弾性材）の形態を保持することになる。これにより、ダンパ板は一部分が重量部や安着補強部から支持される力を伝達されないので、このように軟質を成す部分は、流動する流体により容易に折り曲げ又は折れながら継続的に震えが発生する問題点があった。つまり、先行文献を含む従来のダンパ板は、前述した一部分が継続的に震えるカルマン渦（Ｋａｒｍａｎ  ｖｏｒｔｅｘ）現象が発生し、震えが発生しながら相対する両側が互いに当たる接触現象により騒音が発生する問題点もあった。さらに、従来のダンパ板は、折り曲げ又は折れる一部分に震えが続く場合は、裂けるなどの破損が発生する問題点もあった。
【００１１】
また、従来のダンパは、前述したようにダンパ板を成す重量部と安着補強部とが分離された個々の構成で形成されて、互いに支持される力を伝達されないので、ダンパ板が胴体に安着される場合には、ダンパ板の一部分に折り曲げ又は折れが発生して平行状態を成すことができないので、ダンパ板と胴体との間に隙間が発生して、外気が内部に進入するバックドラフト現象が発生する問題点があった。
【００１２】
また、従来のダンパは、前述したダンパ板の平行状態を保持するための構成として、必ず胴体の内側にダンパ板を支持する放射状の補強台を形成しなければならない問題点があった。つまり、胴体は放射状の補強台を射出成形又は別途に設けなければならないが、そのための作製費用及び作製時間などが大いに所要する問題点もあった。
【先行技術文献】
【特許文献】
【００１３】
【特許文献１】大韓民国登録特許公報第１０−０６９９５９９号（登録日：２００７年３月１９日）
【特許文献２】大韓民国公開特許公報第１０−２００９−００５９５５７号（公開日：２００９．０６．１１）
【考案の概要】
【考案が解決しようとする課題】
【００１４】
本考案は、上記のような問題点を解決するためのものであって、遮断板の中心線を軸に両側が折り曲げられる場合は、遮断板の両側を成す形状をそれぞれ保持させて震えを防止できるダクト用ダンパを提供することに目的がある。
そして、ファスナーを介してハウジングの内部に遮断板を着脱可能に固定できるダクト用ダンパを提供することに他の目的がある。
また、軟質遮断板の枠を支持して遮断板がハウジングの内側に逆行することを防止できるダクト用ダンパを提供することに他の目的がある。
【００１５】
また、流体により一方向に折り曲げられた遮断板の両側を自重によって他方向に自然に折り曲げることのできるダクト用ダンパを提供することに他の目的がある。
そして、固定バーを提供してファスナーを介して固定されたハウジングと遮断板の結束力をより強化できるダクト用ダンパを提供することに他の目的がある。
また、センターバーを軸に遮断板の両側が折り曲げられるダクト用ダンパを提供することに他の目的がある。
そして、サポートバーを介して遮断板の形状変形を抑制できるダクト用ダンパを提供することに他の目的がある。
【００１６】
一方、サポートバーは、センターバーから遮断板の枠端まで延びるリブを放射状に複数個設けて、遮断板の表面を部分的に支持できるダクト用ダンパを提供することに他の目的がある。
【００１７】
他方、サポートバーは、センターバーから遮断板の枠に沿って延びるリブを介して遮断板の枠の表面を全体的に支持できるダクト用ダンパを提供することに他の目的がある。
そして、ウェイトを提供して遮断板が自重により他方向に折り曲げられる効率を向上できるダクト用ダンパを提供することに他の目的がある。
【００１８】
また、遮断板の下端に段爪状の段差を提供して遮断板の枠をハウジングの内部に好適に安着させることのできるダクト用ダンパを提供することに他の目的がある。
また、遮断板の下部面を支持して遮断板の両側がハウジングの内部に逆行することを防止できるダクト用ダンパを提供することに他の目的がある。
そして、遮断板の内部に形状保持部材を挿入して一体に設けられるダクト用ダンパを提供する他の目的がある。
【００１９】
また、遮断板及び形状保持部材を同一の材質で一体に成形したり、異なる材質で設けて一体に結合させることのできるダクト用ダンパを提供することに他の目的がある。
一方、遮断板及び形状保持部材は、同一の軟質の材質で成形できるダクト用ダンパを提供することに他の目的がある。
他方、遮断板は軟質の材質で成形し、形状保持部材は遮断板と異なる硬質の材質で成形できるダクト用ダンパを提供することに他の目的がある。
【００２０】
なお、センターバーからサポーターの末端まで低くなる傾斜構造を提供して、遮断板の両側が互いに当たって接触が発生することを未然に防止できるダクト用ダンパを提供することに他の目的がある。
【課題を解決するための手段】
【００２１】
このような目的を達成するために、本考案は、ダクトの内部に通気可能に設けられる中空状のハウジングと、前記ハウジングに備えられて中空を開閉させる軟質素材の遮断板と、前記ハウジングに前記遮断板を着脱可能に固定させるファスナーと、及び前記遮断板の両側にそれぞれ設けられて前記遮断板が成す半分ほどの形状をそれぞれ保持させる形状保持部材と、を含んで達成することができる。
【００２２】
前述した前記ハウジングは、内部を横切って半分に分割する状態に設けられ、前記遮断板が安着するように所定の幅を成すバー状の安着フレームと、及び前記安着フレームに安着された前記遮断板の枠が安着されるように内側の枠に沿って突出形成される段爪状の安着シートと、を含む。
【００２３】
そして、前記安着フレーム及び安着シートは前記ハウジングに流動される流体により、前記遮断板の両側が一方向に折り曲げられながら前記ハウジングが開放された後、前記遮断板の両側が自重により他方向に折り曲げられながら自動的に前記ハウジングを閉鎖するように、前記ハウジングの内部に前記ハウジングが成す軸方向の垂直方向に対して傾斜した状態で設けられることが望ましい。
【００２４】
また、前記ファスナーは、前記安着部の長手方向に沿って突出形成される複数の結合突起と、及び前記結合突起に対応するように、前記遮断板に貫通形成され、前記結合突起が貫通状態で結合される孔状の結合孔を含む。
前記結合突起は、前記結合孔に貫通されながら末端が前記遮断板の表面に係止状態を成す鉤状のフックと、で構成されても良い。
【００２５】
そして、前記ファスナーは、前記安着部に対応する形態を成し、前記遮断板を貫通する前記結合突起に貫通状態で締結され、前記遮断板を密着状態で支持して前記安着部に固定させる固定バーと、をさらに含んでも良い。
一方、前記固定バーは、前記遮断板の一部分に面接触しながら集中荷重の発生を防止する損傷防止部と、をさらに含んでも良い。
【００２６】
また、前記形状保持部材は、前記遮断板の中心線から水平方向に所定間隔離隔され、前記遮断板の中心線方向に沿って長く設けられて、前記遮断板が折り曲げられる基準軸を提供するバー状のセンターバーと、及び前記センターバーから前記遮断板の枠まで一体に設けられて前記遮断板の形状変形を抑制するサポートバーと、を含む。
【００２７】
一方、前記サポートバーは、前記センターバーから前記遮断板の枠の末端まで延び、前記センターバーから放射状に複数個設けられて前記遮断板の表面を部分的に支持するリブと、で構成されても良い。
【００２８】
他方、前記サポートバーは、前記センターバーから前記遮断板の枠に沿って延び、前記遮断板の枠に対応する形で設けられて前記遮断板の枠を全体的に支持するリブと、で構成されても良い。
また、前記形状保持部材が設けられた前記遮断板の他側面に設けられて、前記遮断板に重量を提供するウェイトと、をさらに含んでも良い。
【００２９】
このとき、前記遮断板は、前記ウェイトが前記形状保持部材に対応する形状を成し、前記遮断板の枠内側に所定間隔離隔された形で設けられることにより、前記遮断板の枠の下端に形成される段爪状の段差と、をさらに含んでも良い。
【００３０】
そして、前記安着フレームにより分割された前記ハウジングの両側内部にそれぞれ形成され、前記遮断板の下部を支持して前記遮断板の逆行を防止する網目状の補助フレームと、をさらに含んでも良い。
一方、前記形状保持部材は、前記センターバー及び前記サポートバーが前記遮断板の内部に挿入されて一体に射出されても良い。
他方、前記遮断板及び前記形状保持部材は、同一の材質を成して一体に射出成形されるか、または互いに異なる材質を成して一体に結合されても良い。
他方、前記遮断板及び前記形状保持部材は、同一の材質の軟質材で構成されても良い。
他方、前記遮断板は軟質材で構成され、前記形状保持部材は前記遮断板と異なる硬質材で構成されても良い。
【００３１】
そして、前記形状保持部材は、前記センターバーを中心にそれぞれ折り曲げられる前記遮断板の両側が互いに接触することを防止するために、前記センターバーから前記サポーターの末端まで低くなる傾斜構造で形成される接触防止部と、をさらに含んでも良い。
【考案の効果】
【００３２】
本考案に係るダクト用ダンパによれば、遮断板の両側がセンタバーを軸に折り曲げられても形状保持部材が遮断板の両側をそれぞれ半分ほど支持して形状を保持させるので、遮断板の両側は震えが発生しないことから震えに因り発生する騒音を防止することができる。さらに、遮断板は、従来のように震えに因り発生する破損を未然に防止することもできる。
そして、ファスナーを介して遮断板をハウジングに着脱可能に固定させるので、作製及びメンテナンスが容易である。
【００３３】
また、安着シートを介して遮断板の両側の枠を支持するので、遮断板がハウジングの内部に逆行することを防止することがことができる。このとき、遮断板は、前述した形状保持部材を介して両側状がそれぞれ保持されるので、遮断板の両側がハウジングの内部に逆行することを防止する別途の形状や部材が不要なため、作製が容易で、コスト及び作製時間を効果的に減らすことができる。
【００３４】
また、遮断板の枠は形状保持部材の重量により提供される荷重が遮断板の枠に加えられるので、安着シートに容易に密着される。つまり、ハウジングの中空を閉鎖する遮断板の密閉性を向上させることができる。
【００３５】
また、安着フレーム及び安着シートは、ハウジングの内部に傾斜した状態で設けられて遮断板を傾斜した状態で支持することにより、遮断板が一方向（順行方向）に折り曲げられても、自重により、さらに自動的に他方向（逆行方向）に折り曲げられるので、遮断板がハウジングの中空を開閉する安定性が向上し、ハウジングを開閉させる別途の部材を必要としないので、作製が容易で、コスト及び作製時間を効果的に減らすことができる。
また、ファスナーは、結合突起及び結合孔の簡単な構成により、ハウジングの内部に遮断板を容易に結合させることができる。
このとき、結合突起は、鉤状のフックで構成されるので、結合突起が結合孔に挿入されるだけで容易に互いに係止状態を成して固定されても良い。
【００３６】
なお、固定バーを介して安着フレームに固定された遮断板を密着状態で支持して結束を強化するので、遮断板をハウジングに一層効果的に固定させることができる。
【００３７】
そして、遮断板の両側にそれぞれ設けられるセンターバー基準軸に遮断板の両側が同一の形態で容易に折り曲げられ、このとき、ハウジングの内部に流動される流体の流れが一側に偏らず、両側に円滑に流れる効果もある。
また、サポートバーを介して遮断板が両側に折り曲げられるセンターバー部分を除いた残りの折り曲げ又は折れる現象を容易に防止することができる。
【００３８】
一方、サポーター、つまり、センターバーから遮断板の枠の末端まで延びるリブを放射状に複数個設けて遮断板の表面を部分的に支持しても遮断板の両側形状を効果的に保持させることができる。
【００３９】
他方、サポーター、つまり、センターバーから遮断板の枠に沿って延びるリブを介して遮断板の枠の表面を全体的に支持して、遮断板の両側形状をより一層効果的に保持させることができる。
【００４０】
前記サポートバーは、遮断板の形状変形を抑制して形状を保持させるので、流体の流れにより軟質の遮断板に発生し得る折り曲げ又は折れる現象、つまり、はためく現象であるカルマン渦（Ｋａｒｍａｎ  ｖｏｒｔｅｘ）現象を遮断して、騒音の発生を未然に防止することができる。
【００４１】
また、形状保持部材が設けられた遮断板の他側面に重量を提供するウェイトを設けて、遮断板の荷重を補強することにより、ハウジングの中空を閉鎖する遮断板の密閉性をより効果的に向上させることができる。
【００４２】
また、遮断板に提供される段爪状の段差により遮断板の下端の枠が安着シートに容易に安着され、このとき、ウェイトは安着シートに係止されない状態で安着シートの内側に案内されるので、自然に遮断板に重量を提供することができる。
また、補助フレームを介して遮断板の下部面を補助的に支持するので、遮断板の両側がハウジングの内部に逆行することをより効果的に防止することができる。
【００４３】
また、形状保持部材は、センターバーからサポーターの末端まで低くなる傾斜構造で形成される接触防止部を提供するので、遮断板が折り曲げられても両側に設けられた形状保持部材が互いに当たる接触現象が制限されることから、騒音が発生することを未然に防止することができる。
一方、遮断板及び形状保持部材は、互いに同一の材質を成して一体に射出されるので、作製が容易である。
【００４４】
他方、遮断板及び形状保持部材は、互いに異なる材質を成しても、別途の手段を介して一体に結合されるので、様々な材質で構成して相互補完する効果を提供することができる。
【００４５】
詳しくは、軟質材で構成される遮断板を介してハウジング内部の中空をきっちり密閉させ、このとき、硬質材で構成される形状保持部材が遮断板の形状変形を抑制しながら遮断板の形状を容易に保持させる相互補完効果を提供することができる。
【００４６】
なお、形状保持部材は、遮断板の内部に挿入されて一体に射出されるので、作製が容易で、別途の結合手段がなくても相互一体に容易に結合させることができる。
【図面の簡単な説明】
【００４７】
【図１】本考案の望ましい実施例に係るダクト用ダンパを全体的に示した図である。
【図２】図１の構成を分解して示した図である。
【図３】図１の‘Ａ−Ａ’及び‘Ｂ−Ｂ’の断面状態を示した図である。
【図４】本考案の他の実施例に係るダクト用ダンパを全体的に示した図である。
【図５】図４の構成を分解して示した図である。
【図６】図４の‘Ｃ−Ｃ’及び‘Ｄ−Ｄ’の断面状態を示した図である。
【図７】本考案の他の望ましい実施例に係るダクト用ダンパを全体的に示した図である。
【図８】本考案の他の実施例に係るダクト用ダンパを断面状態で示した図である。
【図９】本考案の他の実施例に係るダクト用ダンパを断面状態で示した図である。
【考案を実施するための形態】
【００４８】
以下では、添付された図面を参照して、本考案の望ましい実施例を詳細に説明する。
特段の定義がない限り、本明細書の全ての用語は、本考案の属する技術分野の通常の技術者が理解する当該用語の一般的意味と同一であり、若し、本明細書で使用された用語が当該用語の一般的意味と抵触する場合には、本明細書で使用された定義に従う。
【００４９】
一方、以下に記述される装置の構成やシステムは、本考案の実施例を説明するためのものであって、本考案の権利範囲を限定するためのものではなく、明細書全体にわたって同一に使用された参照番号は、同一の構成要素を示す。
本考案に係るダクト用ダンパ１００は、ハウジング１１０、遮断板１３０、ファスナー１５０及び形状保持部材１７０を含む。
【００５０】
ハウジング１１０は、ダクトの内部に設けられる構成要素で、図２に示すように、内部を貫通する中空（Ｓ）が設けられる。ハウジング１１０は、示されたように全体的に円筒形を成すことが望ましいが、ダクトの形状に対応する四角形、多角形など様々な形態を成しても良い。これにより、ハウジング１１０は、ダクトの形状に関係なく、ダクトの内部に容易に設けられる。
【００５１】
ハウジング１１０は、内部、すなわち、室内、浴室、厨房などの汚染された空気が外へ排出される通路の役割を果たし、後述する遮断板１３０を介して外気が内部に流入されることを遮断する。このようなハウジング１１０は、内部に遮断板１３０を設けるために安着フレーム１１１及び安着シート１１３を含む。
【００５２】
安着フレーム１１１は、遮断板１３０が安着される構成要素で、図２に示すように、ハウジング１１０の内部を横切る状態で設けられて、ハウジング１１０の中空（Ｓ）を半分に分割する。安着フレーム１１１は、示されたように所定の幅を成すバー状を成す。これにより、安着フレーム１１１は、図１及び図３に示すように、後述する遮断板１３０の中心線ＣＬ部分が安着される。したがって、遮断板１３０は、安着フレーム１１１を介してハウジング１１０の内部に備えられる状態を成す。
【００５３】
安着シート１１３は、遮断板１３０の枠が安着される構成要素であり、図２に示すように、ハウジング１１０の内側の枠に沿って突出形成される。安着シート１１３は、示されたようにハウジング１１０の形状に対応する形で、図２に示すように、環状を成し、所定の長さだけ突出形成される突起状を成す。これにより、安着シート１１３は、図１及び図３の（ａ）に示すように、後述する遮断板１３０の枠部分が安着される。したがって、遮断板１３０は、安着シート１１３を介して両側が支持されてハウジング１１０の内部方向に逆行することが防止される。ここで、逆行とは、普通の方向と反対方向に遡ることを意味し、詳しくは、遮断板１３０の両側がハウジング１１０の内部方向に折り曲げられることを意味する。
【００５４】
一方、前述した安着フレーム１１１及び安着シート１１３は、図２及び図３の（ｂ）に示すように傾斜状態を成す。詳しくは、安着フレーム１１１及び安着シート１１３は、ハウジング１１０の内部に設けられた状態で、ハウジング１１０が成す軸方向の垂直方向に対して傾斜した形態で設けられる。これにより、安着フレーム１１１及び安着シート１１３は、示されたように後述する遮断板１３０に傾斜を提供するので、ハウジング１１０の内部に流れる流体の流動により遮断板１３０の両側が一方向（順行方向）に折り曲げられた後、流体の流動がこれ以上発生しないようになると、遮断板１３０の両側が自重により自然に他方向（逆行方向、重力方向）に折り曲げられる。このとき、遮断板１３０は、枠部分が前述した安着シート１１３に安着されるので、両側が他方向に折り曲げられてもこれ以上ハウジング１１０の内部に逆行しない。
他方、ハウジング１１０は、補助フレーム１１５をさらに含んでも良い。
【００５５】
補助フレーム１１５は、遮断板１３０を支持するための構成要素であって、図７に示すように、安着フレーム１１１により分割された中空（Ｓ）の両側内部にそれぞれ設けられる。このとき、補助フレーム１１５は、網目状を成すことが望ましい。これにより、補助フレーム１１５は、遮断板１３０の両側下部を支持するので、遮断板１３０は、ハウジング１１０の内部方向に逆行しない。しかし、本考案に係るダクト用ダンパ１００は、補助フレーム１１５を含まなくても、遮断板１３０がハウジング１１０の内部方向に逆行されることを十分防止することができる。遮断板１３０は、後述する形状保持部材１７０を介して両側を保持させた状態で、安着シート１１３に枠が安着される場合、両側は安着シート１１３により支持されるので、ハウジング１１０の内部に逆行しない。詳細については後述する。
【００５６】
遮断板１３０は、ハウジング１１０の内部に貫通される中空（Ｓ）を開閉するための構成要素であって、図２に示すように、ハウジング１１０の形状に対応する形状を成して、前述した安着フレーム１１１及び安着シート１１３に安着される。これにより、遮断板１３０は、ハウジング１１０の中空（Ｓ）を開放するか、または閉鎖することができる。前記遮断板１３０の望ましい開閉方法は後述する。
【００５７】
ここで、遮断板１３０は、シリコン、ゴムなどの柔らかい性質を持つ軟質材で成形される膜（ｍｅｍｂｒａｎｅ）で構成されることが望ましい。これにより、遮断板１３０は、後述するファスナー１５０を介して安着フレーム１１１に固定された状態で、前述したように半分に分割されたハウジング１１０の中空（Ｓ）を通過する流体の流れにより、両側が別途のヒンジ手段がなくても、自然に一方向又は他方向に折り曲げられることができる。このとき、遮断板１３０は、軟質材を成すので、流体の流れが荒い場合には、遮断板１３０の両側が折り曲げや折れながらはためく現象であるカルマン渦（Ｋａｒｍａｎ  ｖｏｒｔｅｘ）現象が発生して騒音が発生するが、後述する形状保持部材１７０を介してこのような現象を未然に防止することができる。前記形状保持部材１７０の詳細は後述する。
ファスナー１５０は、ハウジング１１０に遮断板１３０を固定させる構成要素であり、図２に示すように、結合突起１５１及び結合孔１５３を含む。
【００５８】
結合突起１５１は、遮断板１３０に貫通状態で結合される構成要素であり、図２に示すように、安着フレーム１１１の一側面から突出形成される突起形状を成す。結合突起１５１は、安着フレーム１１１の長手方向に沿って所定の間隔で多数個形成される。これにより、結合突起１５１は、図１に示すように、安着フレーム１１１に安着される遮断板１３０の一部分に貫通状態で結合されて遮断板１３０が安着フレーム１１１から離脱されないように固定する。
一方、結合突起１５１は、フック１５１ａで構成されても良い。
【００５９】
フック１５１ａは、図３の拡大図Ｂに示すように、後述する結合孔１５３に貫通された状態で末端が遮断板１３０の表面に係止状態を成す鉤状である。これにより、フック１５１ａは、遮断板１３０に貫通された状態でフック部分が遮断板１３０の表面に係止状態を成して固定されるので、別途の結合手段（後述する固定バー１５５）がなくても安着フレーム１１１に遮断板１３０を容易に固定させることもできる。
【００６０】
結合孔１５３は、結合突起１５１が挿入される構成要素であり、図２に示すように遮断板１３０の一部分、望ましくは、中心線ＣＬ部分に孔状で貫通形成される。結合孔１５３は、前述した結合突起１５１の数及び間隔に対応する形状を成す。これにより、結合孔１５３は、遮断板１３０が安着フレーム１１１に安着される位置を決め、このとき、結合突起１５１が遮断板１３０を貫通する通路を提供する。
一方、ファスナー１５０は、固定バー１５５をさらに含んでも良い。
【００６１】
固定バー１５５は、ファスナー１５０の結束力を補強する構成要素であり、図２に示すように、所定の厚さ及び長さを持つバー形状を成す。望ましくは、固定バー１５５は、前述した安着フレーム１１１に対応する形状を成す。前記固定バー１５５は、図３の拡大図Ａ及び図６の拡大図Ａに示すように、遮断板１３０を貫通する結合突起１５１に貫通状態で固定される。これにより、固定バー１５５は、遮断板１３０を密着状態でさらに支持する状態で、安着フレーム１１１に遮断板１３０を固定するファスナー１５０の結束力をより一層強化させることができる。
【００６２】
他方、固定バー１５５は、図８に示すように、下部両側が隅状を成す場合、折り曲げられる遮断板１３０の両側一部分がそれぞれ隅に点接触形状で圧迫され、接触される部分に集中的に荷重が加わる集中荷重現象が発生して破れるなどの破損が発生することもある。前記固定バーは、遮断板１３０の一部分に集中荷重が加わることを防止するための損傷防止部１５５ａをさらに含んでも良い。
【００６３】
損傷防止部１５５ａは、例えば、図８の（ａ）に示された拡大図のように、固定バー１５５の下端両末端にラウンド状に形成されても良い。これにより、遮断板１３０は、示されたように固定バー１５５により固定された状態で固定バー１５５を基準に両側がそれぞれ折り曲げられる場合は、両側一部分が固定バー１５５に形成された損傷防止部１５５ａに点接触ではなく面接触するにつれて、両側一部分に集中的に荷重が加わる集中荷重現象が発生しない。つまり、遮断板１３０は、両側一部分に集中荷重が全く発生しないので、集中荷重による破損を未然に防止することもできる。
【００６４】
形状保持部材１７０は、遮断板１３０の形状を保持させるための構成要素であって、前述したファスナー１５０により固定されていない遮断板１３０の残りの軟質部分の形状を保持させる。望ましくは、形状保持部材１７０は、遮断板１３０の両側にそれぞれ設けられて遮断板１３０の両側形状を同一に保持させることができる。
【００６５】
ここで、形状保持部材１７０は、前述した遮断板１３０と同一の柔らかい性質を持つシリコン、ゴムなどの軟質材で構成されても良い。これにより、形状保持部材１７０は、前述した遮断板１３０と同一の材質を成すので、図１〜図３に示すように、遮断板１３０と一体に容易に成形することができる。また、形状保持部材１７０は、前述した遮断板１３０と互いに異なる硬い性質を持つウレタン、プラスチックなどの硬質材で構成されても良い。これにより、形状保持部材１７０は、前述した遮断板１３０と異なる材質を成すので、別途の結合手段（溶接、ボンディングなど）により、図６に示すように、遮断板１３０と一体を成すこともできる。このとき、形状保持部材１７０は、図９に示すように遮断板１３０の内部に挿入される挿入射出により遮断板１３０と一体を成すこともできる。
【００６６】
一方、形状保持部材１７０は、図３の（ａ）及び図６の（ａ）に示すように遮断板１３０が成す厚さ（ｔ１）よりも大きい厚さ（ｔ２）を持つことから、同一の軟質材で構成されるとしても、遮断板１３０よりも硬質の性質を成すことができるので、遮断板１３０の表面を支持しながら形状を容易に保持させることもできる。前記形状保持部材１７０は、次のような様々な実施例に基づいてさらに詳しく説明することができる。
第１実施例
形状保持部材１７０は、図２及び図３に示すように、遮断板１３０に一体に成形されるセンターバー１７１及びサポートバー１７３を含む。
【００６７】
センターバー１７１は、遮断板１３０が折り曲げられる基準軸（ＲＡ）を提供する構成要素であり、図２に示すように、遮断板１３０の中心線ＣＬから水平方向に所定間隔離隔された一部分、すなわち、両側に相互対称的に設けられた状態で、遮断板１３０の中心線ＣＬ方向に沿って直線状に長く突出形成される。前記センターバー１７１は、所定の幅を持つバー状を成す。これにより、センターバー１７１は、長手方向に沿って遮断板１３０の表面一部分を支持する。したがって、遮断板１３０は、センターバー１７１が形成される一部分のみが形状保持され、前述した安着フレーム１１１に安着された部分、すなわち、中心線ＣＬ部分からセンターバー１７１が形成された間の軟質部分のみが折り曲げられる。つまり、遮断板１３０は、センターバー１７１が形成されながら提供される基準軸（ＲＡ）に沿って折り曲げられれる。
【００６８】
サポートバー１７３は、遮断板１３０の形状を部分的に支持する構成要素であり、図２に示すように、前述したセンターバー１７１から延びて遮断板１３０の枠の末端まで突出形成される。前記サポートバー１７３は、示されたようにセンターバー１７１から放射状にまっすぐに設けられる多数個のリブで構成される。このとき、リブは、所定の幅を持つバー状を成し、放射状に突出形成されながら遮断板１３０の表面を部分的に支持する。これにより、遮断板１３０は、放射状に多数のリブが形成される一部分のみが形状保持されても、リブが設けられていない軟質部分もまたリブにより十分支持されるので、形状変形が抑制される。つまり、サポートバー１７３は、最小限のリブを放射状に突出形成して遮断板１３０の形状変形を抑制しながら形状を保持させることができる。
【００６９】
このように、第１実施例の形状保持部材１７０は、センターバー１７１を基準軸（ＲＡ）に遮断板１３０の両側を折り曲げさせることができ、サポートバー１７３を介してセンターバー１７１から遮断板１３０の末端まで板状に保持させるので、流体の流れにより遮断板１３０の一部分が折り曲げ又は折ながらはためく現象であるカルマン渦（Ｋａｒｍａｎ  ｖｏｒｔｅｘ）現象を遮断して騒音発生を防止する。
第２実施例
形状保持部材１７０は、図５及び図６に示すように別途の結合手段を介して一体に結合されるセンターバー１７１及びサポートバー１７３を含む。
【００７０】
センターバー１７１は、遮断板１３０が折り曲げられる基準軸（ＲＡ）を提供する構成要素であり、図５に示すように、遮断板１３０の中心線ＣＬから水平方向に所定間隔離隔された一部分に設けられた状態で、遮断板１３０の中心線ＣＬ方向に沿って長く突出形成される。前記センターバー１７１は、前述した第１実施例と同一の構成で、詳細な説明は省略する。
【００７１】
サポートバー１７３は、遮断板１３０の形状を全体的に支持する構成要素であり、図５に示すように、前述したセンターバー１７１の一側末端から延びて遮断板１３０の枠周に沿ってセンターバー１７１の他側末端に延びる。前記サポートバー１７３は、遮断板１３０の一側枠に対応する形状を成すリブで構成される。このとき、リブは遮断板１３０の枠に沿って延びながら遮断板１３０の枠の表面を全体的に支持するので、遮断板１３０が成す全体的な形状を保持させる。これにより、サポートバー１７３は、遮断板１３０の枠の表面を全体的に支持するので、軟質の遮断板１３０が成す全体的な形態を容易に保持させることができる。つまり、サポートバー１７３は、遮断板１３０の形状変形を抑制しながら形状を保持させることができる。
【００７２】
このような第２実施例の形状保持部材１７０は、センターバー１７１を基準軸（ＲＡ）に遮断板１３０の両側を折り曲げさせることができ、サポートバー１７３を介してセンターバー１７１から遮断板１３０の枠全体を支持して板状に容易に保持させるので、流体の流れにより遮断板１３０の一部分が折り曲げ又は折れながらはためく現象であるカルマン渦（Ｋａｒｍａｎ  ｖｏｒｔｅｘ）現象を遮断して騒音の発生を防止する。
【００７３】
したがって、形状保持部材１７０は、前述した第１実施例及び第２実施例で説明したように、遮断板１３０に設けられるセンターバー１７１からサポートバー１７３を介して遮断板１３０の末端まで連続的に延びる形態を成して遮断板１３０の両側にそれぞれ設けられるので、遮断板１３０の両側を板状にそれぞれ形状保持させることができる。つまり、遮断板１３０は、センターバー１７１を基準に枠部分までは形状保持部材１７０を介して板状を保持し、センターバー１７１を基準に中心線ＣＬ部分までは形状保持部材１７０が設けられていないので、センターバー１７１を基準軸（ＲＡ）に自由に折り曲げられる。
一方、形状保持部材１７０は、接触防止部１７５をさらに含んでも良い。
【００７４】
接触防止部１７５は、遮断板１３０の両側が互いに当たる接触現象を防止するための構成要素であって、図８の（ａ）及び（ｂ）に示すように、センターバー１７１の末端からサポートバー１７３の末端まで低くなる傾斜構造の傾斜面を形成する。これにより、遮断板１３０は、ハウジング１１０の内部に流動する流体の流速により、両側が折り曲げられながら互いに垂直状態を成しても、接触防止部１７５により形状保持部材１７０が、全体的に傾斜構造の傾斜面を提供するので、両側が互いに接触しない。つまり、遮断板１３０は、両側が互いに当たる接触現象が発生しないので、騒音が発生することを未然に防止することができる。
他方、本考案に係る騒音防止用ダンパは、ウェイト１９０をさらに含んでも良い。
【００７５】
ウェイト１９０は、遮断板１３０に重量を提供する構成要素であり、図６に示すように、形状保持部材１７０が位置した遮断板１３０の他側面、すなわち、下部面に設けられる。これにより、ウェイト１９０は、遮断板１３０に所定の重量を提供して遮断板１３０に加わる荷重を補強する。つまり、ウェイト１９０は、遮断板１３０に設けられる形状保持部材１７０を介して提供される重量と共に、遮断板１３０に補助的に追加の重量を提供するので、後述するように遮断板１３０がハウジング１１０の中空（Ｓ）を閉鎖する場合、形状保持部材１７０を介して遮断板１３０の枠に加わる荷重による密閉性をより効果的に向上させることができる。
【００７６】
前記ウェイト１９０は、前述した形状保持部材１７０に対応する形を成し、図８に示すように、遮断板１３０の枠内側に所定間隔離隔された形態を成す。このとき、遮断板１３０は、図示されたように枠からウェイト１９０の末端まで段爪状の段差１３１が設けられる。これにより、遮断板１３０は、段差１３１により下端の枠が安着シート１１３に容易に安着され、このとき、ウェイト１９０が安着フレーム１１１に係止されず、自然に安着シート１１３の内側に案内されながら重量を提供することができる。
【００７７】
一方、前述した形状保持部材１７０及びウェイト１９０は、遮断板１３０を間に配置した状態でファスナー（図示せず）により容易に結合することができる。例えば、ファスナー（図示せず）は、形状保持部材１７０の一側面に突起を形成し、ウェイト１９０の一側面、すなわち、形状保持部材１７０と相対する一側面に孔状のホルダーを形成して嵌合する方法で軟質の遮断板１３０を支持する形態で互いに容易に結合されることができる。しかし、形状保持部材１７０及びウェイト１９０は、前述したファスナー（図示せず）により結合される方法を限定するのではなく、別途の接着剤、熱溶着、結束手段など様々な形態で容易に結合されることもできる。
前述した構成を有するダクト用ダンパ１００を介してハウジング１１０の中空（Ｓ）を開閉する作用を説明すると、次の通りである。
【００７８】
まず、遮断板１３０は、ハウジング１１０の内部で発生する流体がハウジング１１０の外へ流動されながら、図３の（ａ）又は図６の（ａ）に示すように、両側が押し出される。このとき、遮断板１３０は、中心線ＣＬ部分が安着フレーム１１１に固定された状態であるので、中心線ＣＬ部分を除いた両側がハウジング１１０の一方向（外部方向、順行方向）に折り曲げられながらハウジング１１０の中空（Ｓ）両側を開放する。前記遮断板１３０は、センターバー１７１から中心線ＣＬ部分まで軟質材で構成されるので、別途のヒンジ手段がなくても、前述したように流体が流動される力により折り曲げ状態を成すことができる。このとき、遮断板１３０は、形状保持部材１７０を介して板状を保持しながら、基準軸（ＲＡ）を提供するセンターバー１７１を介して両側がそれぞれ折り曲げられる。したがって、遮断板１３０は、内部の流体が外へ流動される場合、流体の流れにより中空（Ｓ）を遮る両側が外部方向（順行方向）に自然に折り曲げられながら中空（Ｓ）を開放する。このとき、遮断板１３０は、サポートバー１７３により遮断板１３０の一部分が折り曲げ又は折れながらはためく現象であるカルマン渦（Ｋａｒｍａｎ  ｖｏｒｔｅｘ）現象が遮断されるので、騒音が発生することなく中空（Ｓ）を開放することができる。つまり、遮断板１３０は、騒音無しに内部、つまり、室内、浴室、厨房などで発生する汚染された空気を外へ排出させることができる。
【００７９】
次に、ハウジング１１０の内部で発生する空気が外へ排出された後、これ以上流体の流れが発生しない場合、遮断板１３０は、図３の（ｂ）又は図６の（ｂ）に示すように、安着フレーム１１１及び安着シート１１３により傾斜状態を成すので、両側が自重により自然に他方向（逆行方向、重力方向）に折り曲げられる。このとき、遮断板１３０は、形状保持部材１７０が提供する重量により、さらに自然に重力方向に折り曲げられる。これにより、遮断板１３０は、両側枠が安着シート１１３に自然に安着され、中空（Ｓ）を閉鎖する。このとき、遮断板１３０は、軟質材で成されるので、枠の両側が安着シート１１３に安着されても騒音が発生しない。なお、遮断板１３０は、形状保持部材１７０の重量により負荷を提供されるが、安着シート１１３に安着された枠が荷重による圧迫状態を成すので、安着シート１１３との枠との間は密閉状態になる。したがって、遮断板１３０は、外から発生する汚染された空気が内部に流入されることを完全に遮断する。
【００８０】
本考案に係る騒音防止用ダンパは、内部（室内、浴室、厨房など）の空気を外へ容易に排出させることができ、外気が内部に流入されることを容易に遮断することができる。
＜符号の説明＞
１００：ダクト用ダンパ                １１０：ハウジング
１１１：安着フレーム                  １１３：安着シート
１１５：補助フレーム                  １３０：遮断板
１３１：段差                          １５０：ファスナー
１５１：結合突起                      １５１ａ：フック
１５４：結合孔                        １５５：固定バー
１７０：形状保持部材                  １７１：センターバー
１７３：サポートバー                  １７５：接触防止部
１９０：ウェイト                      Ｓ：中空
【図１】
0003224670.tif 000003
【図２】
0003224670.tif 000004
【図３】
0003224670.tif 000005
【図４】
0003224670.tif 000006
【図５】
0003224670.tif 000007
【図６】
0003224670.tif 000008
【図７】
0003224670.tif 000009
【図８】
0003224670.tif 000010
【図９】
0003224670.tif 000011
【手続補正書】
【提出日】令和1年11月5日(2019.11.5)
【手続補正１】
【補正対象書類名】実用新案登録請求の範囲
【補正対象項目名】全文
【補正方法】変更
【補正の内容】
【実用新案登録請求の範囲】
【請求項１】
ダクトの内部に通気可能に設けられる中空状のハウジングと、  
前記ハウジングに設けられて中空を開閉させる軟質素材の遮断板と、
前記ハウジングに前記遮断板を固定させるファスナーと、及び
前記ファスナーにより固定されていない前記遮断板の軟質部分の形状を保持させる形状保持部材と、を含み、
前記形状保持部材は、前記遮断板の中心線部分に剛性を与えるために、前記遮断板の中心線から水平方向に所定間隔離隔された両側に相互対称的に、前記遮断板の中心線方向に沿って直線状に長く設けられて前記遮断板が折り曲げられる基準軸を提供するバー状のセンターバーと、及び
前記センターバーから延びて一体に前記遮断板の枠まで設けられて前記遮断板の形状変形を抑制するサポートバーと、を含んで構成されることを特徴とする、ダクト用ダンパ。
【請求項２】
前記ハウジングは、内部を横切って半分に分割する状態で設けられ、前記遮断板が安着されるように所定の幅を成すバー状の安着フレームと、及び
前記安着フレームに安着された前記遮断板の枠が安着されるように内側の枠に沿って突出形成される段爪状の安着シートと、を含む請求項１に記載のダクト用ダンパ。
【請求項３】
前記ファスナーは、前記安着フレームの長手方向に沿って突出形成される複数の結合突起と、及び
前記結合突起に対応するように前記遮断板に貫通形成され、前記結合突起が貫通状態で結合される孔状の結合孔と、を含む請求項２に記載のダクト用ダンパ。
【請求項４】
前記サポートバーは、前記センターバーから前記遮断板の末端まで延び、
前記センターバーから放射状に複数個設けられて前記遮断板の表面を部分的に支持するリブで構成される請求項１に記載のダクト用ダンパ。
【請求項５】
前記サポートバーは、前記センターバーから前記遮断板の枠に沿って延び、前記遮断板の枠に対応する形態で設けられて前記遮断板の枠を全体的に支持するリブで構成される請求項１に記載のダクト用ダンパ。
【請求項６】
前記形状保持部材が設けられた前記遮断板の他側面に設けられて前記遮断板に重量を提供するウェイトと、をさらに含む請求項５に記載のダクト用ダンパ。
【請求項７】
前記遮断板は、前記ウェイトが前記形状保持部材に対応する形状を成し、前記遮断板の枠の内側に所定間隔離隔された形態で設けられるとともに前記遮断板の枠の下端に形成される段爪状の段差と、をさらに含む請求項６に記載のダクト用ダンパ。
【請求項８】
前記安着フレームにより分割された前記ハウジングの両側内部にそれぞれ形成され、前記遮断板の下部を支持して前記遮断板の逆行を防止する網目状の補助フレームと、をさらに含む請求項２に記載のダクト用ダンパ。